(57)【要約】【課題】ファントムセル内で複数の移動局ＵＥ＃Ａ〜ＵＥ＃Ｄに対して同一のＣ-ＲＮＴＩを割り当てた場合であっても、同一のＣ-ＲＮＴＩが割り当てられた移動局ＵＥ＃Ａ〜ＵＥ＃Ｄ同士の衝突を回避する。【解決手段】本発明に係る移動通信方法は、複数のスモールセルを連結して形成されたセル＃１０を管理する無線基地局ＰｈＮＢ＃１０が、移動局ＵＥ＃Ａに対して、ＰＤＣＣＨを介して、Ｃ-ＲＮＴＩとは異なる識別子を含む第１制御信号を送信する工程と、セル＃１０のカバレッジエリアと重複するカバレッジエリアを有するセル＃１を管理する無線基地局ｅＮＢ＃１が、移動局ＵＥに対して、ＰＤＣＣＨを介して、識別子を含む第２制御信号を送信する工程と、移動局ＵＥが、第１制御信号に含まれる識別子と第２制御信号に含まれる識別子とが一致すると判断した場合、かかる第１制御信号を有効であると見なす工程とを有する。【選択図】図３
2014049794.tif 000002
【特許請求の範囲】
【請求項１】
複数のスモールセルを連結して形成されたファントムセルを管理する第１無線基地局が、移動局に対して、物理下りリンク制御チャネルを介して、セル固有識別子とは異なる識別子を含む第１制御信号を送信する工程と、
前記ファントムセルのカバレッジエリアと重複するカバレッジエリアを有するマクロセルを管理する第２無線基地局が、前記移動局に対して、物理下りリンク制御チャネルを介して、前記識別子を含む第２制御信号を送信する工程と、
前記移動局が、前記第１制御信号に含まれる前記識別子と前記第２制御信号に含まれる前記識別子とが一致すると判断した場合、該第１制御信号を有効であると見なす工程とを有することを特徴とする移動通信方法。
【請求項２】
前記移動局が、前記第１制御信号に含まれる前記識別子と前記第２制御信号に含まれる前記識別子とが一致しないと判断した場合、該第１制御信号及び該第２制御信号の少なくとも一方を破棄する工程を有することを特徴とする請求項１に記載の移動通信方法。
【請求項３】
前記移動局が、前記第１制御信号或いは該第１制御信号に含まれる前記識別子に対応する前記第２制御信号を受信しない場合、該第１制御信号を破棄する工程を有することを特徴とする請求項１に記載の移動通信方法。
【請求項４】
前記移動局は、前記第１制御信号に含まれる前記識別子と前記第２制御信号に含まれる前記識別子とが一致するか否かに関わらず、該第２制御信号については有効であると見なさないことを特徴とする請求項１又は２に記載の移動通信方法。
【請求項５】
無線基地局からの指示がある場合に、前記移動局は、前記第１制御信号に含まれる前記識別子と前記第２制御信号に含まれる前記識別子とが一致するかについての判定を行うことを特徴とする請求項１乃至４のいずれか一項に記載の移動通信方法。
【請求項６】
前記移動局は、無線基地局から指示されたセルで、前記第１制御信号或いは該第１制御信号に含まれる前記識別子に対応する前記第２制御信号を受信することを特徴とする請求項１乃至５のいずれか一項に記載の移動通信方法。
【請求項７】
複数のスモールセルを連結して形成されたファントムセルを管理する第１無線基地局及び該ファントムセルのカバレッジエリアと重複するカバレッジエリアを有するマクロセルを管理する第２無線基地局と通信可能な移動局であって、
前記第１無線基地局から、物理下りリンク制御チャネルを介して、セル固有識別子とは異なる識別子を含む第１制御信号を受信し、前記第２無線基地局から、物理下りリンク制御チャネルを介して、前記識別子を含む第２制御信号を受信するように構成されている受信部と、
前記第１制御信号に含まれる前記識別子と前記第２制御信号に含まれる前記識別子とが一致すると判断した場合、該第１制御信号を有効であるとみなすように構成されている判定部とを具備することを特徴とする移動局。
【請求項８】
前記判定部は、前記第１制御信号に含まれる前記識別子と前記第２制御信号に含まれる前記識別子とが一致しないと判断した場合、該第１制御信号及び該第２制御信号の少なくとも一方を破棄するように構成されていることを特徴とする請求項７に記載の移動局。
【請求項９】
前記判定部は、前記第１制御信号或いは該第１制御信号に含まれる前記識別子に対応する前記第２制御信号を受信しない場合、該第１制御信号を破棄するように構成されていることを特徴とする請求項７に記載の移動局。
【請求項１０】
前記判定部は、前記第１制御信号に含まれる前記識別子と前記第２制御信号に含まれる前記識別子とが一致するか否かに関わらず、該第２制御信号については有効であると見なさないように構成されていることを特徴とする請求項７又は８に記載の移動局。
【請求項１１】
前記判定部は、無線基地局からの指示がある場合に、前記第１制御信号に含まれる前記識別子と前記第２制御信号に含まれる前記識別子とが一致するかの判定を行うように構成されていることを特徴とする請求項７乃至１０のいずれか一項に記載の移動局。
【請求項１２】
前記判定部は、無線基地局から指示されたセルで、前記第１制御信号或いは該第１制御信号に含まれる前記識別子に対応する前記第２制御信号を受信するように構成されていることを特徴とする請求項７乃至１１のいずれか一項に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式において、図６に示すように、無線基地局ｅＮＢは、配下のセルにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図６に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
なお、Ｃ-ＲＮＴＩは、「Ｃｏｎｔｅｎｔｉｏｎ  ｂａｓｅｄ  ＲＡ（Ｒａｎｄｏｍ  Ａｃｃｅｓｓ）手順」やハンドオーバ手順において割り当てられるように構成されている。
【０００５】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００６】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００７】
かかる提案の中で、「ファントムセル（Ｐｈａｎｔｏｍ  ｃｅｌｌ）」に係るコンセプトが検討されている。
【０００８】
図７に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００９】
【非特許文献１】３ＧＰＰ  ＴＳ３６.３００
【発明の概要】
【発明が解決しようとする課題】
【００１０】
しかしながら、図８に示すように、各セル（マクロセル及びファントムセル）では、６５５３５個のＣ-ＲＮＴＩを管理しており、各移動局ＵＥに対して１個のＣ-ＲＮＴＩを割り当てる必要がある。
【００１１】
ここで、ファントムセルのカバレッジエリアが広くなると、ファントムセル内で通信を行う移動局ＵＥの数が増えるため、ファントムセル内で移動局ＵＥに割り当てるＣ-ＲＮＴＩが枯渇するケースが生じ得るという問題点が想定される。
【００１２】
かかる問題点を解決するために、図９に示すように、マクロセルでは、各移動局ＵＥに対して、１個のＣ-ＲＮＴＩを割り当てる一方、ファントムセルでは、複数の移動局ＵＥに対して、１個のＣ-ＲＮＴＩを割り当てる（すなわち、１個のＣ-ＲＮＴＩを複数の移動局ＵＥで共有する）という運用が行われることが想定される。
【００１３】
しかしながら、かかる運用を行った場合、同じセル内で同一のＣ-ＲＮＴＩが割り当てられた移動局ＵＥ同士の衝突が発生する可能性があるという問題点があった。ここで、かかる衝突が発生すると、無線基地局ｅＮＢによって意図されていない移動局ＵＥが、正しい移動局ＵＥに対する割り当て情報を誤って受信してしまう可能性がある。
【００１４】
そこで、本発明は、上述の課題に鑑みてなされたものであり、ファントムセル内で複数の移動局ＵＥ＃Ａ〜＃Ｄに対して同一のＣ-ＲＮＴＩを割り当てた場合であっても、同一のＣ-ＲＮＴＩが割り当てられた移動局ＵＥ＃Ａ〜＃Ｄ同士の衝突を回避することができる移動通信方法及び移動局を提供することを目的とする。
【課題を解決するための手段】
【００１５】
本発明の第１の特徴は、移動通信方法であって、複数のスモールセルを連結して形成されたファントムセルを管理する第１無線基地局が、移動局に対して、物理下りリンク制御チャネルを介して、セル固有識別子とは異なる識別子を含む第１制御信号を送信する工程と、前記ファントムセルのカバレッジエリアと重複するカバレッジエリアを有するマクロセルを管理する第２無線基地局が、前記移動局に対して、物理下りリンク制御チャネルを介して、前記識別子を含む第２制御信号を送信する工程と、前記移動局が、前記第１制御信号に含まれる前記識別子と前記第２制御信号に含まれる前記識別子とが一致すると判断した場合、該第１制御信号を有効であると見なす工程とを有することを要旨とする。
【００１６】
本発明の第２の特徴は、複数のスモールセルを連結して形成されたファントムセルを管理する第１無線基地局及び該ファントムセルのカバレッジエリアと重複するカバレッジエリアを有するマクロセルを管理する第２無線基地局と通信可能な移動局であって、前記第１無線基地局から、物理下りリンク制御チャネルを介して、セル固有識別子とは異なる識別子を含む第１制御信号を受信し、前記第２無線基地局から、物理下りリンク制御チャネルを介して、前記識別子を含む第２制御信号を受信するように構成されている受信部と、前記第１制御信号に含まれる前記識別子と前記第２制御信号に含まれる前記識別子とが一致すると判断した場合、該第１制御信号を有効であるとみなすように構成されている判定部とを具備することを要旨とする。
【発明の効果】
【００１７】
以上説明したように、本発明によれば、ファントムセル内で複数の移動局ＵＥ＃Ａ〜＃Ｄに対して同一のＣ-ＲＮＴＩを割り当てた場合であっても、同一のＣ-ＲＮＴＩが割り当てられた移動局ＵＥ＃Ａ〜＃Ｄ同士の衝突を回避することができる移動通信方法及び移動局を提供することができる。
【図面の簡単な説明】
【００１８】
【図１】本発明の第１の実施形態に係る移動通信システムの全体構成図である。
【図２】本発明の第１の実施形態に係る無線基地局ＰｈＮＢ＃１０の機能ブロック図である。
【図３】本発明の第１の実施形態に係る無線基地局ＰｈＮＢ＃１０/ｅＮＢ＃１及び移動局ＵＥ＃Ａ/ＵＥ＃Ｂの動作を説明するための図である。
【図４】本発明の第１の実施形態に係る無線基地局ｅＮＢ＃１の機能ブロック図である。
【図５】本発明の第１の実施形態に係る移動局ＵＥの機能ブロック図である。
【図６】従来技術を説明するための図である。
【図７】従来技術を説明するための図である。
【図８】従来技術を説明するための図である。
【図９】従来技術を説明するための図である。
【発明を実施するための形態】
【００１９】
（本発明の第１の実施形態に係る移動通信システム）
図１乃至図５を参照して、本発明の第１の実施形態に係る移動通信システムについて説明する。
【００２０】
図１に示すように、本実施形態に係る移動通信システムは、ＬＴＥ方式の移動通信システムであって、セル＃１０を管理する無線基地局ＰｈＮＢ＃１０と、セル＃１を管理する無線基地局ｅＮＢ＃１と、セル＃２を管理する無線基地局ｅＮＢ＃２と、セル＃３を管理する無線基地局ｅＮＢ＃３とを具備している。
【００２１】
ここで、セル＃１０は、複数のスモールセルを連結して形成されたファントムセルであり、セル＃１〜＃３は、マクロセルである。
【００２２】
図１に示すように、セル＃１０のカバレッジエリア及びセル＃１〜＃３のカバレッジエリアは、少なくとも一部で重なるように配置されている。
【００２３】
図２に示すように、本実施形態に係る無線基地局ＰｈＮＢ＃１０は、割当部１１と、受信部１２と、送信部１３とを具備している。
【００２４】
割当部１１は、セル＃１０内の移動局ＵＥ＃Ａ〜ＵＥ＃Ｄに対して、同一のＣ-ＲＮＴＩｐｈを割り当てるように構成されている。
【００２５】
なお、割当部１１は、セル＃１０内の所定数の移動局ＵＥ＃Ａ〜ＵＥ＃Ｄに対して、同一のＣ-ＲＮＴＩｐｈを割り当てるように構成されていてもよい。
【００２６】
また、割当部１１は、セル＃１０内の移動局ＵＥ＃Ａ〜ＵＥ＃Ｄの各々に対して、Ｃ-ＲＮＴＩとは異なる識別子を割り当てるように構成されている。
【００２７】
かかる識別子は、セル＃１０内の移動局ＵＥ＃Ａ〜ＵＥ＃Ｄの各々を識別することができ、ＵＥ-ＩＤの代わりとなり得る。
【００２８】
受信部１２は、セル＃１０内の移動局ＵＥ＃Ａ〜ＵＥ＃Ｄや無線基地局ｅＮＢ＃１〜ｅＮＢ＃３から各種信号を受信するように構成されており、送信部１３は、セル＃１０内の移動局ＵＥ＃Ａ〜ＵＥ＃Ｄや無線基地局ｅＮＢ＃１〜ｅＮＢ＃３に対して各種信号を送信するように構成されている。
【００２９】
ここで、送信部１３は、セル＃１０内の移動局ＵＥ＃Ａ〜ＵＥ＃Ｄの各々に対して、割当部１１によって割り当てられたＣ-ＲＮＴＩｐｈや識別子を通知するように構成されている。
【００３０】
なお、送信部１３は、セル＃１０内の移動局ＵＥ＃Ａ〜ＵＥ＃Ｄの各々に対して割り当てられた識別子を、無線基地局ｅＮＢ＃１〜ｅＮＢ＃３に通知するように構成されていてもよい。
【００３１】
また、図３に示すように、送信部１３は、セル＃１０内の移動局ＵＥ＃Ａ〜ＵＥ＃Ｄの各々に対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、各移動局ＵＥ＃Ａ〜ＵＥ＃Ｄ用のＣ-ＲＮＴＩ及び識別子を含む第１制御信号を送信するように構成されている。
【００３２】
或いは、送信部１３は、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を介して、各移動局ＵＥ＃Ａ〜ＵＥ＃Ｄ用のＣ-ＲＮＴＩ及び識別子を含む第１制御信号を送信するように構成されていてもよい。
【００３３】
本実施形態に係る無線基地局ｅＮＢ＃１〜ｅＮＢ＃３の構成は、基本的に同一であるため、以下、代表して、無線基地局ｅＮＢ＃１の構成について説明する。
【００３４】
図４に示すように、本実施形態に係る無線基地局ｅＮＢ＃１は、受信部２１と、管理部２２と、送信部２３とを具備している。
【００３５】
受信部２１は、移動局ＵＥ＃Ａ〜ＵＥ＃Ｄや無線基地局ＰｈＮＢ＃１０から各種信号を受信するように構成されている。
【００３６】
例えば、受信部２１は、無線基地局ＰｈＮＢ＃１０から、セル＃１０内の移動局ＵＥ＃Ａ〜ＵＥ＃Ｄ用の識別子を受信するように構成されている。
【００３７】
管理部２２は、受信部２１によって受信されたセル＃１０内の移動局ＵＥ＃Ａ〜ＵＥ＃Ｄ用の識別子を管理するように構成されている。
【００３８】
送信部２３は、移動局ＵＥ＃Ａ〜ＵＥ＃Ｄや無線基地局ＰｈＮＢ＃１０に対して各種信号を送信するように構成されている。
【００３９】
例えば、図３に示すように、送信部２３は、セル＃１０内の移動局ＵＥ＃Ａ〜ＵＥ＃Ｄの各々に対して、ＰＤＣＣＨを介して、各移動局ＵＥ＃Ａ〜ＵＥ＃Ｄ用の識別子を含む第２制御信号を送信するように構成されている。
【００４０】
なお、かかる第２制御信号は、割り当て情報等を含まず、各移動局ＵＥ＃Ａ〜ＵＥ＃Ｄ用の識別子を送信するためだけのダミーの制御信号であってもよい。
【００４１】
本実施形態に係る移動局ＵＥ＃Ａ〜ＵＥ＃Ｄの構成は、基本的に同一であるため、以下、代表して、移動局ＵＥ＃Ａの構成について説明する。
【００４２】
図５に示すように、本実施形態に係る移動局ＵＥ＃Ａは、受信部３１と、判定部３２と、送信部３３とを具備している。
【００４３】
受信部３１は、無線基地局ＰｈＮＢ＃１０/ｅＮＢ＃１/ｅＮＢ＃２/ｅＮＢ＃３から各種信号を受信するように構成されており、送信部３３は、無線基地局ＰｈＮＢ＃１０/ｅＮＢ＃１/ｅＮＢ＃２/ｅＮＢ＃３に対して各種信号を送信するように構成されている。
【００４４】
例えば、受信部３１は、無線基地局ＰｈＮＢ＃１０から、個別信号を介して、移動局ＵＥに対して割り当てられたＣ-ＲＮＴＩｐｈや識別子を受信するように構成されている。
【００４５】
また、受信部３１は、無線基地局ＰｈＮＢ＃１０から、移動局ＵＥ＃Ａ用のＣ-ＲＮＴＩｐｈを用いたＰＤＣＣＨを介して、移動局ＵＥ用の識別子を含む第１制御信号（例えば、スケジューリング情報）を受信するように構成されていてもよい。
【００４６】
さらに、受信部３１は、無線基地局ｅＮＢ＃１〜ｅＮＢ＃３から、移動局ＵＥ＃Ａ用のＣ-ＲＮＴＩｐｈを用いたＰＤＣＣＨを介して、移動局ＵＥ＃Ａ用の識別子を含む第２制御信号を受信するように構成されていてもよい。
【００４７】
判定部３２は、第１制御信号に含まれる識別子と第２制御信号に含まれる識別子とが一致するか否か、或いは、第１制御信号に対応する第２制御信号が受信されるかについて判定するように構成されている。
【００４８】
なお、「識別子が一致する」とは、同一の識別子が受信されることを意味してもよいし、予め関連付けられている識別子が受信されることを意図してもよい。
【００４９】
ここで、判定部３２は、第１制御信号に含まれる識別子と第２制御信号に含まれる識別子とが一致すると判断した場合、かかる第１制御信号を有効であると見なすように構成されている。
【００５０】
すなわち、かかる場合、送信部３３は、受信部３１によって受信された第１制御情報（スケジューリング情報）に基づいて、無線基地局ＰｈＮＢ＃１０に対して、ＰＵＳＣＨを介してデータ信号を送信するように構成されている（或いは、ＰＤＣＣＨを介して指示されたランダムアクセス手順等を起動してもよい）
或いは、かかる場合、受信部３１は、第１制御情報（スケジューリング情報）に基づいて、ＰＤＳＣＨを介して送信されたデータを受信するように構成されている。
【００５１】
一方、判定部３２は、第１制御信号に含まれる識別子と第２制御信号に含まれる識別子とが一致しないと判断した場合、かかる第１制御信号を破棄又は無視するように構成されていてもよい。
【００５２】
また、かかる場合、判定部３２は、第２制御信号についても破棄又は無視するように構成されてもよい。
【００５３】
或いは、判定部３２は、第１制御信号を受信した後、第２制御信号を受信しない場合、かかる第１制御信号を破棄又は無視するように構成されていてもよい。
【００５４】
すなわち、かかる場合、送信部３３は、受信部３１によって受信された第１制御情報（スケジューリング情報）に基づいて、無線基地局ＰｈＮＢ＃１０に対して、ＰＵＳＣＨを介してデータ信号を送信しない、或いは、第１制御情報により指示された手順（例えば、ランダムアクセス手順）を起動しないように構成されている。
【００５５】
また、かかる場合、受信部３１は、第１制御情報（スケジューリング情報）に基づいて、無線基地局ＰｈＮＢ＃１０からＰＤＳＣＨを介して送信されたデータ信号を受信しないように構成されている。
【００５６】
さらに、判定部３２は、第１制御信号に含まれる識別子と第２制御信号に含まれる識別子とが一致するか否かに関わらず、受信部３１によって受信された第２制御信号については有効であると見なさないように構成されていてもよい。
【００５７】
すなわち、送信部３３は、受信部３１によって受信された第２制御情報に基づいて、無線基地局ＰｈＮＢ＃１０に対して、ＰＵＳＣＨを介してデータ信号を送信しない、或いは、第１制御情報により指示された手順（例えば、ランダムアクセス手順）を起動しないように構成されている。
【００５８】
また、かかる場合、受信部３１は、第２制御情報に基づいて、無線基地局ＰｈＮＢ＃１０からＰＤＳＣＨを介して送信されたデータ信号を受信しないように構成されている。
【００５９】
図３の例では、移動局ＵＥ＃Ａは、無線基地局ＰｈＮＢ＃１０から受信した第１制御信号に含まれる識別子Ｘと無線基地局ｅＮＢ＃１から受信した第２制御信号に含まれる識別子Ｘとが一致すると判断し、かかる第１制御信号が有効であると見なす。
【００６０】
一方、移動局ＵＥ＃Ｂは、無線基地局ＰｈＮＢ＃１０から受信した第１制御信号に含まれる識別子Ｘと無線基地局ｅＮＢ＃１から受信した第２制御信号に含まれる識別子Ｙとが一致しないと判断し、かかる第１制御信号が有効であると見なすことなく廃棄する。
【００６１】
以上に述べた本実施形態の特徴は、以下のように表現されていてもよい。
【００６２】
本実施形態の第１の特徴は、移動通信方法であって、複数のスモールセルを連結して形成されたセル＃１０（ファントムセル）を管理する無線基地局ＰｈＮＢ＃１０（第１無線基地局）が、移動局ＵＥ＃Ａに対して、ＰＤＣＣＨ（物理下りリンク制御チャネル）を介して、Ｃ-ＲＮＴＩ（セル固有識別子）とは異なる識別子を含む第１制御信号を送信する工程と、セル＃１０のカバレッジエリアと重複するカバレッジエリアを有するセル＃１（マクロセル）を管理する無線基地局ｅＮＢ＃１（第２無線基地局）が、移動局ＵＥに対して、ＰＤＣＣＨ（物理下りリンク制御チャネル）を介して、識別子を含む第２制御信号を送信する工程と、移動局ＵＥが、第１制御信号に含まれる識別子と第２制御信号に含まれる識別子とが一致すると判断した場合、かかる第１制御信号を有効であると見なす工程とを有することを要旨とする。
【００６３】
かかる構成によれば、セル＃１０内の複数の移動局ＵＥ＃Ａ〜ＵＥ＃Ｄに対して同一のＣ-ＲＮＴＩｐｈが割り当てられている場合であっても、各移動局ＵＥ＃Ａ〜ＵＥ＃Ｄは、無線基地局ＰｈＮＢ＃１０及び無線基地局ｅＮＢ＃１から送信される識別子を用いて、自身宛の制御信号であるか否かについて判断することができる。
【００６４】
本実施形態の第１の特徴において、移動局ＵＥが、第１制御信号に含まれる識別子と第２制御信号に含まれる識別子とが一致しないと判断した場合、かかる第１制御信号及び第２制御信号の少なくとも一方を破棄又は無視する工程を有してもよい。
【００６５】
かかる構成によれば、各移動局ＵＥ＃Ａ〜ＵＥ＃Ｄが、自身宛の制御信号でないと判断した場合、かかる制御信号を破棄するため、セル＃１０内の複数の移動局ＵＥ＃Ａ〜ＵＥ＃Ｄに対して同一のＣ-ＲＮＴＩｐｈが割り当てられている場合であっても、無線基地局ＰｈＮＢ＃１０は、適切な移動局ＵＥ＃Ａ〜ＵＥ＃Ｄに対して制御信号を送信することができる。
【００６６】
本実施形態の第１の特徴において、移動局ＵＥが、第１制御信号或いは第１制御信号に含まれる識別子に対応する第２制御信号を受信しない場合、かかる第１制御信号を破棄する工程を有してもよい。
【００６７】
本実施形態の第１の特徴において、移動局ＵＥは、第１制御信号に含まれる識別子と第２制御信号に含まれる識別子とが一致するか否かに関わらず、かかる第２制御信号については有効であると見なさなくてもよい。
【００６８】
かかる構成によれば、無線基地局ｅＮＢ＃１は、余計な情報を通知すること無く、最小限のデータ量で、セル＃１０内の移動局ＵＥ＃Ａ〜ＵＥ＃Ｄの各々に対して識別子を通知することができる。
【００６９】
本実施形態の第１の特徴において、無線基地局ｅＮＢからの指示がある場合に、移動局ＵＥは、第１制御信号に含まれる識別子と第２制御信号に含まれる識別子とが一致するかについての判定を行ってもよい。
【００７０】
本実施形態の第１の特徴において、移動局ＵＥは、無線基地局ｅＮＢから指示されたセルで、第１制御信号或いは第１制御信号に含まれる識別子に対応する第２制御信号を受信してもよい。
【００７１】
本実施形態の第２の特徴は、複数のスモールセルを連結して形成されたセル＃１０を管理する無線基地局ＰｈＮＢ＃１０及びセル＃１０のカバレッジエリアと重複するカバレッジエリアを有するセル＃１を管理する無線基地局ｅＮＢ＃１と通信可能な移動局ＵＥであって、無線基地局ＰｈＮＢ＃１０から、ＰＤＣＣＨを介して、Ｃ-ＲＮＴＩとは異なる識別子を含む第１制御信号を受信し、無線基地局ｅＮＢ＃１から、ＰＤＣＣＨを介して、識別子を含む第２制御信号を受信するように構成されている受信部３１と、第１制御信号に含まれる識別子と第２制御信号に含まれる識別子とが一致すると判断した場合、かかる第１制御信号を有効であると見なすように構成されている判定部３２とを具備することを要旨とする。
【００７２】
かかる構成によれば、セル＃１０内の複数の移動局ＵＥ＃Ａ〜ＵＥ＃Ｄに対して同一のＣ-ＲＮＴＩｐｈが割り当てられている場合であっても、各移動局ＵＥ＃Ａ〜ＵＥ＃Ｄは、無線基地局ＰｈＮＢ＃１０及び無線基地局ｅＮＢ＃１から送信される識別子を用いて、自身宛の制御信号であるか否かについて判断することができる。
【００７３】
本実施形態の第２の特徴において、判定部３２は、第１制御信号に含まれる識別子と第２制御信号に含まれる識別子とが一致しないと判断した場合、第１制御信号及び第２制御信号の少なくとも一方を破棄又は無視するように構成されていてもよい。
【００７４】
かかる構成によれば、各移動局ＵＥ＃Ａ〜ＵＥ＃Ｄが、自身宛の制御信号でないと判断した場合、かかる制御信号を破棄するため、セル＃１０内の複数の移動局ＵＥ＃Ａ〜ＵＥ＃Ｄに対して同一のＣ-ＲＮＴＩｐｈが割り当てられている場合であっても、無線基地局ＰｈＮＢ＃１０は、適切な移動局ＵＥ＃Ａ〜ＵＥ＃Ｄに対して制御信号を送信することができる。
【００７５】
本実施形態の第２の特徴において、判定部３２は、第１制御信号或いは第１制御信号に含まれる識別子に対応する第２制御信号を受信しない場合、かかる第１制御信号を破棄するように構成されていてもよい。
【００７６】
本実施形態の第２の特徴において、判定部３２は、第１制御信号に含まれる識別子と第２制御信号に含まれる識別子とが一致するか否かに関わらず、かかる第２制御信号については有効であると見なさないように構成されていてもよい。
【００７７】
かかる構成によれば、無線基地局ｅＮＢ＃１は、余計な情報を通知すること無く、最小限のデータ量で、セル＃１０内の移動局ＵＥ＃Ａ〜ＵＥ＃Ｄの各々に対して識別子を通知することができる。
【００７８】
本実施形態の第２の特徴において、判定部３２は、無線基地局ｅＮＢからの指示がある場合に、第１制御信号に含まれる識別子と第２制御信号に含まれる識別子とが一致するかの判定を行うように構成されていてもよい。
【００７９】
本実施形態の第２の特徴において、判定部３２は、無線基地局ｅＮＢから指示されたセルで、第１制御信号或いは第１制御信号に含まれる識別子に対応する第２制御信号を受信するように構成されていてもよい。
【００８０】
また、上述したような衝突回避制御は、同一セル内の同一識別子を割り当てた複数の移動局ＵＥに対して同時に割り当てを行う（スケジューリング情報を送信する）場合にのみ実施すればよく、常に行う必要はない。
【００８１】
すなわち、移動局ＵＥは、無線基地局ｅＮＢにより、上述したような衝突回避制御を行うことを指示された場合にのみ実施するように構成されていてもよい。
【００８２】
かかる指示は、ＲＲＣレイヤやＰＤＣＰレイヤやＲＬＣレイヤやＭＡＣレイヤや物理レイヤの任意のレイヤで行われてもよい。特に、かかる指示は、第１制御信号と共に通知されてもよいし、第２制御信号と共に通知されてもよい。
【００８３】
さらに、上述した説明では、第２制御信号を送信するセルをマクロセルとして説明したが、移動局ＵＥが設定されている任意のセルで受信されてもよい。
【００８４】
なお、上述の移動局ＵＥ＃Ａ〜ＵＥ＃Ｄや無線基地局ｅＮＢ＃１/ｅＮＢ＃２/ｅＮＢ＃３/ＰｈＮＢ＃１０の動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃Ａ〜ＵＥ＃Ｄや無線基地局ｅＮＢ＃１/ｅＮＢ＃２/ｅＮＢ＃３/ＰｈＮＢ＃１０内に設けられていてもよい。また、かかる記憶媒体及びプロセッサは、ディスクリートコンポーネントとして移動局ＵＥ＃Ａ〜ＵＥ＃Ｄや無線基地局ｅＮＢ＃１/ｅＮＢ＃２/ｅＮＢ＃３/ＰｈＮＢ＃１０内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８８】
ｅＮＢ＃１、ｅＮＢ＃２、ｅＮＢ＃３、ＰｈＮＢ＃１０…無線基地局
１１…割当部
１２、２１、３１…受信部
１３、２３、３３…送信部
２２…管理部
３２…判定部
【図１】
2014049794.tif 000003
【図２】
2014049794.tif 000004
【図３】
2014049794.tif 000005
【図４】
2014049794.tif 000006
【図５】
2014049794.tif 000007
【図６】
2014049794.tif 000008
【図７】
2014049794.tif 000009
【図８】
2014049794.tif 000010
【図９】
2014049794.tif 000011